(57)【要約】【課題】ペーストのにじみによる印刷不良の発生を抑えることができるスクリーン印刷装置を提供することを目的とする。【解決手段】基板ＰＢの下面に接触する天板部１２ａに第１の吸引孔２１が設けられた下受けボックス１２、下受けボックス１２の内部空間１２Ｓに連通して下受けボックス１２の外部を延びたブロア吸引用配管２３、ブロア吸引用配管２３を通じて空気を吸い出し、第１の吸引孔２１にブロア吸引力を発生させるモータ２５及びモータ２５の回転数を変化させるインバータ２６を備える。【選択図】図３
2015214089.tif 000002
【特許請求の範囲】
【請求項１】
基板に接触させたマスク上でスキージを摺動させることにより、前記マスクに設けられたパターン孔を通じて前記基板上にペーストを印刷するスクリーン印刷装置であって、
前記基板の下面に接触する天板部に第１の吸引孔が設けられた箱状部材と、
前記箱状部材の内部空間に連通して前記箱状部材の外部を延びたブロア吸引用配管と、
前記ブロア吸引用配管を通じて空気を吸い出し、前記第１の吸引孔にブロア吸引力を発生させるモータと、
前記モータの回転数を変化させるインバータとを備えたことを特徴とするスクリーン印刷装置。
【請求項２】
前記インバータを通じて前記モータの回転数の調整を行う操作パネルを備えたことを特徴とする請求項１に記載のスクリーン印刷装置。
【請求項３】
前記箱状部材の前記天板部に設けられた第２の吸引孔に繋がり、前記箱状部材の前記内部空間を通って前記箱状部材の外部に延びた真空吸引用配管と、
前記真空吸引用配管を通じて前記第２の吸引孔に真空圧を供給する真空圧供給手段とを備えたことを特徴とする請求項１又は２に記載のスクリーン印刷装置。
【発明の詳細な説明】
【技術分野】
【０００１】
本発明は、基板に接触させたマスク上でスキージを摺動させることにより、マスクに設けられたパターン孔を通じて基板上にペーストを印刷するスクリーン印刷装置に関するものである。
【背景技術】
【０００２】
スクリーン印刷装置において、マスクと基板との間の位置ずれを防ぐための基板の保持方法としては、従来、真空吸引によるものが知られているが（例えば、特許文献１）、ブロア吸引によるものも考えられる。ブロア吸引による吸引力は真空吸引ほど大きくはないが、基板に反り等の変形があってリークが生じている場合であっても基板の保持力を十分に維持し得るという利点がある。また、基板に形成された開口を通じてマスクも吸引すれば、マスクが変形していた場合であってもこれを矯正でき、マスクの基板への密着度を高めることができる。
【先行技術文献】
【特許文献】
【０００３】
【特許文献１】特開２００３−２２４３９５号公報
【発明の概要】
【発明が解決しようとする課題】
【０００４】
しかしながら、ブロア吸引でマスクを吸引すると、マスク上のペーストがパターン孔を通じて吸引され、ペーストの過剰な「にじみ」が生じて印刷不良が発生するおそれがある。
【０００５】
そこで本発明は、ペーストのにじみによる印刷不良の発生を抑えることができるスクリーン印刷装置を提供することを目的とする。
【課題を解決するための手段】
【０００６】
本発明のスクリーン印刷装置は、基板に接触させたマスク上でスキージを摺動させることにより、前記マスクに設けられたパターン孔を通じて前記基板上にペーストを印刷するスクリーン印刷装置であって、前記基板の下面に接触する天板部に第１の吸引孔が設けられた箱状部材と、前記箱状部材の内部空間に連通して前記箱状部材の外部を延びたブロア吸引用配管と、前記ブロア吸引用配管を通じて空気を吸い出し、前記第１の吸引孔にブロア吸引力を発生させるモータと、前記モータの回転数を変化させるインバータとを備えた。
【発明の効果】
【０００７】
本発明によれば、ペーストのにじみによる印刷不良の発生を抑えることができる。
【図面の簡単な説明】
【０００８】
【図１】本発明の一実施の形態におけるスクリーン印刷装置の側面図
【図２】本発明の一実施の形態におけるスクリーン印刷装置の制御系統を示すブロック図
【図３】本発明の一実施の形態におけるスクリーン印刷装置が備える下受けボックス及び吸引機構の構成図
【図４】本発明の一実施の形態におけるスクリーン印刷装置が備える下受けボックスの平面図
【図５】本発明の一実施の形態におけるスクリーン印刷装置が備える操作パネルに表示される操作画面の一例を示す図
【図６】本発明の一実施の形態におけるスクリーン印刷装置の側面図
【発明を実施するための形態】
【０００９】
以下、図面を参照して本発明の実施の形態について説明する。図１は本発明の一実施の形態におけるスクリーン印刷装置１を示している。スクリーン印刷装置１はマスク２、スキージヘッド３及び基板保持移動部４を備えている。スクリーン印刷装置１の各部の作動制御は制御装置５が行う（図２）。
【００１０】
マスク２は水平姿勢に保持されており、上面にペーストＰｓｔが供給される。マスクには基板ＰＢの電極配置に応じたパターン孔２ｈが形成されている。スキージヘッド３はスキージ昇降シリンダ３ａによって昇降されるスキージ３ｂを備えている。スキージヘッド３はヘッド移動機構３Ｍに駆動されて水平方向に移動する。
【００１１】
基板保持移動部４は、基板ＰＢを保持する基板保持機構部４ａと、基板保持機構部４ａを水平面内方向及び上下方向に移動させる移動機構部４ｂから成る。基板保持機構部４ａは搬送コンベア１１、下受けボックス１２、クランパ１３及び吸引機構１４を備える。搬送コンベア１１は基板ＰＢを搬送して位置決めし、下受けボックス１２は搬送コンベア１１が位置決めした基板ＰＢを上面において下受けする。クランパ１３は、下受けボックス１２が下受けした基板ＰＢを側方からクランプする。吸引機構１４は、下受けボックス１２が下受けした基板ＰＢを吸引して下受けボックス１２の上面に保持する。
【００１２】
図３において、箱状部材である下受けボックス１２は、上面が基板ＰＢの下面と接触する天板部１２ａと、天板部１２ａを保持する支持部１２ｂから成る。天板部１２ａは支持部１２ｂに対して着脱自在となっている。天板部１２ａには複数の第１の吸引孔２１と複数の第２の吸引孔２２が設けられている。第１の吸引孔２１は基板ＰＢとマスク２をブロア吸引するための孔である。このため第１の吸引孔２１は、クランパ１３でクランプした基板ＰＢの下面と対向する位置及び基板ＰＢの切り欠き部Ｋと対向する位置に設けられている（図４も参照）。図４では、基板ＰＢの下面と対向する位置に設けられた第１の吸引孔２１は符号２１ａで示し、基板ＰＢの切欠き部Ｋと対向する位置に設けられた第１の吸引孔２１は符号２１ｂで示している。一方、第２の吸引孔２２は基板ＰＢを真空吸引するための孔である。このため第２の吸引孔２２は、クランパ１３でクランプした基板ＰＢの下面のうち、切り欠き部Ｋと対向する位置を避けた位置に設けられている（図４も参照）。
【００１３】
吸引機構１４は、ブロア吸引用配管２３、ブロア吸引源２４、複数の真空吸引用配管２７及び制御バルブ２８から成る。図３において、ブロア吸引用配管２３は下受けボックス１２の内部空間１２Ｓに連通し、下受けボックス１２の外部を延びている。ブロア吸引源２４はブロア吸引用配管２３に接続されている。ブロア吸引源２４は、ブロア吸引用配管２３を通じて空気を吸い出し、第１の吸引孔２１にブロア吸引力を発生させるモータ２５と、モータ２５に供給される電源の周波数を変更することによりモータ２５の回転数を変化させるインバータ２６から成る。
【００１４】
図３において、各真空吸引用配管２７は天板部１２ａの下面側から各第２の吸引孔２２に繋がっている。これら真空吸引用配管２７は、下受けボックス１２の内部空間１２Ｓを通って下受けボックス１２の側面の開口部（この開口部はシールされている）を通過し、下受けボックス１２の外部に延びている。複数の真空吸引用配管２７は真空源２９に接続されている。制御バルブ２８は真空吸引用配管２７と真空源２９との間に介装されている。制御バルブ２８は制御装置５によって操作され、真空源２９が真空吸引用配管２７に供給する真空圧の制御を行う。すなわち制御バルブ２８は、真空吸引用配管２７を通じて第２の吸引孔２２に真空圧を供給する真空圧供給手段となっている。
【００１５】
図２及び図３において、制御装置５には操作パネル３０が接続されている。操作パネル３０には、例えば図５に示すように、インバータ２６を通じてモータ２５の回転数の調整（設定及び変更）を行うための操作画面ＧＭが表示される。作業者が操作パネル３０の操作画面からインバータ２６に供給される電源の周波数を変更する操作を行うとモータ２５の回転数が変化し、これにより第１の吸引孔２１を通じた空気の吸引流量（ブロア流量）が変更されて、基板ＰＢ及びマスク２の吸引力が増減する。なお、図５に示す例では、操作画面ＧＭの中の「ブロア周波数」の欄Ｗに、テンキーを含む数値入力ボタン群ＴＮから所望の周波数値を入力することによってインバータ２６の電源の周波数設定を行うようになっている。
【００１６】
このような構成のスクリーン印刷装置１が基板ＰＢにペーストＰｓｔを印刷するときには、先ず、搬送コンベア１１が基板ＰＢを搬入して所定の位置に位置決めする。そして、下受けボックス１２が基板ＰＢを下受けし、クランパ１３が基板ＰＢをクランプする。
【００１７】
クランパ１３が基板ＰＢをクランプしたら、移動機構部４ｂが基板保持機構部４ａを移動させ、基板ＰＢの電極とマスク２のパターン孔２ｈが合致するように、基板ＰＢをマスク２に接触させる（図６中に示す矢印Ａ）。基板ＰＢがマスク２に接触したら、吸引機構１４が作動し、第１の吸引孔２１から基板ＰＢとマスク２をブロア吸引し、第２の吸引孔２２から基板ＰＢを真空吸引する。基板ＰＢは第２の吸引孔２２から真空吸引されるのに加えて第１の吸引孔２１からブロア吸引されるので、基板ＰＢに反り等の変形があって真空吸引力が不十分になる場合であっても、基板ＰＢは下受けボックス１２の上面にしっかりと保持される。また、マスク２も第１の吸引孔２１からブロア吸引されるので、マスク２に反りがある場合であってもこれが矯正され、マスク２は基板ＰＢにしっかりと密着する。
【００１８】
モータ２５の回転数が大きいほどブロア流量は大きくなり、マスク２の基板ＰＢへの密着度は増大するものの、ブロア流量が過大であると、ブロア吸引によってマスク２のパターン孔２ｈを通じてマスク２の下面側に吸い出されるペーストＰｓｔの「にじみ」が過剰となり、印刷不良が発生するおそれが生じる。作業者は、印刷不良が発生するモータ２５の回転数（限界回転数とする）を予め調べておき、モータ２５の回転数が上記限界回転数以下となるように、インバータ２６を通じたモータ２５の回転数の設定操作（直接的にはモータ２５に供給される電源の周波数の設定操作）を行うことで、ペーストＰｓｔのにじみに起因する印刷不良を防止することができる。本実施の形態では、このようなインバータ２６を通じたモータ２５の回転数の設定操作を操作パネル３０から容易に行うことができ、操作性に優れたものとなっている。
【００１９】
基板ＰＢとマスク２が吸引されたら、スキージ３ｂが下降してマスク２の上面に当接する。そして、スキージヘッド３は水平方向に移動し（図６中に示す矢印Ｂ）、スキージ３ｂをマスク２上で摺動させる。これによりマスク２上のペーストＰｓｔはスキージ３ｂによって掻き寄せられ、マスク２のパターン孔２ｈを通じて基板ＰＢ上に印刷される。
【００２０】
基板ＰＢ上にペーストＰｓｔが印刷されたら、移動機構部４ｂが基板保持機構部４ａを下降させ、基板ＰＢをマスク２から離間させる。基板ＰＢがマスク２から離間したら、吸引機構１４は基板ＰＢとマスク２の吸引を解除する。更に、クランパ１３が開いて基板ＰＢのクランプを解除し、搬送コンベア１１が基板ＰＢをスクリーン印刷装置１の外部に搬出する。これにより基板ＰＢの１枚当たりのスクリーン印刷が完了する。
【００２１】
以上説明したように、本実施の形態におけるスクリーン印刷装置１では、基板ＰＢの保持において、ブロア吸引力を発生さえるモータ２５の回転数をインバータ２６によって変化させることができる。このためブロア流量の調整が可能であり、ブロア流量をペーストＰｓｔのにじみが過剰とならない程度に調整することで、ペーストＰｓｔのにじみによる印刷不良の発生を抑えることができる。
【産業上の利用可能性】
【００２２】
ペーストのにじみによる印刷不良の発生を抑えることができるスクリーン印刷装置を提供する。
【符号の説明】
【００２３】
１  スクリーン印刷装置
２  マスク
２ｈ  パターン孔
３ｂ  スキージ
１２  下受けボックス（箱状部材）
１２Ｓ  内部空間
１２ａ  天板部
２１  第１の吸引孔
２２  第２の吸引孔
２３  ブロア吸引用配管
２５  モータ
２６  インバータ
２７  真空吸引用配管
２８  制御バルブ（真空圧供給手段）
３０  操作パネル
ＰＢ  基板
Ｐｓｔ  ペースト
【図１】
2015214089.tif 000003
【図２】
2015214089.tif 000004
【図３】
2015214089.tif 000005
【図４】
2015214089.tif 000006
【図５】
2015214089.tif 000007
【図６】
2015214089.tif 000008